(57)【特許請求の範囲】
【請求項１】
基礎台を箱形に形成し、その上面に展示品を載置展示する敷板を積層配置すると共に、該基礎台の内部に展示品への振動の伝達を減衰する免震機構を内蔵し、該免震機構から首部材を立上げて前記基礎台の上面に開設する開口部を通してその上端を前記敷板の下面に連結し、該敷板を基礎台の上面との間に小間隔をおいて浮き上がり状態に支持し、これにより常時は敷板によって前記基礎台の上面に開設する開口部及び前記首部材を覆い隠す一方、免震作動時には前記開口部内で前記首部材の移動を自由にして前記敷板に載置展示する展示品に対して免震するようにしたことを特徴とする展示台。
【請求項２】
請求項１に記載の展示台において、敷板の周縁には布材等の幕材を垂設することを特徴とする展示台。
【請求項３】
請求項１に記載の展示台において、首部材が梁状に延設され、基礎台内に一又は複数の免震機構が内蔵されていることを特徴とする展示台。
【発明の詳細な説明】
【０００１】
【発明の属する技術分野】
本発明は、展示品が載せられる展示台に係る技術分野に属する。
【０００２】
【従来の技術】
従来、展示台としては、例えば、図４に示すものが知られている。
【０００３】
この従来の展示台は、ガラス戸Ｃａ，枠体Ｃｂで形成された大型の展示ケースＣに設置されるもので、展示ケースＣの内部に並べられた箱形の基礎台（さいころ，あんことも称される。）１の上面に展示品Ｇを載せる敷板２を積層してなる。この基礎台１，敷板２からなる簡素な外観は、美しく意匠的に良いもので、美術館，博物館等での美術品等からなる展示品Ｇの展示に好適である。
【０００４】
また、図５に示す他の従来の展示台は、展示ケースＣに略直方体状の基礎台（さいころ，あんことも称される。）１の上面に展示品Ｇを載せる敷板２を積層してなる構成以外は図４と同一な構成にされてなる。
【０００５】
【発明が解決しようとする課題】
前述の従来の展示台では、地震対策等のために免震機構を設備しようとすると、簡素な外観体裁が崩れてしまって、美術館，博物館等での美術品等からなる展示品Ｇの展示に不適となるという問題点がある。
【０００６】
本発明は、このような問題点を考慮してなされたもので、簡素な外観を崩すことなく免震機構を備えた展示台を提供することを課題とする。
【０００７】
【課題を解決するための手段】
前述の課題を解決するため、本発明に係る展示台は、次のような手段を採用する。
【０００８】
即ち、請求項１では、基礎台を箱形に形成し、その上面に展示品を載置展示する敷板を積層配置すると共に、該基礎台の内部に展示品への振動の伝達を減衰する免震機構を内蔵し、該免震機構から首部材を立上げて前記基礎台の上面に開設する開口部を通してその上端を前記敷板の下面に連結し、該敷板を基礎台の上面との間に小間隔をおいて浮き上がり状態に支持し、これにより常時は敷板によって前記基礎台の上面に開設する開口部及び前記首部材を覆い隠す一方、免震作動時には前記開口部内で前記首部材の移動を自由にして前記敷板に載置展示する展示品に対して免震するようにしたことを特徴とする。
【０００９】
この手段では、免震機構が基礎台に内蔵されているため、簡素な外観が維持される。そして、免震機構，敷板を連結する首部材や免震機構の免震動作による首部材の移動を許容する開口部が敷板で覆われることも、簡素な外観の維持に寄与する。
【００１０】
また、請求項２では、請求項１に記載の展示台において、敷板の周縁には布材等の幕材を垂設することを特徴とする。
【００１１】
この手段では、基礎台上の敷板の周縁に垂設される幕材によって敷板の下面が隠され、これに伴って基礎台上面に開設される開口部、そしてこの開口部を通して抜け出す首部材が覆い隠されるため基礎台の内部に免震機構が内蔵されることが全く判らなくなり、簡素な展示台を提供することができる。
【００１２】
また、請求項３では、請求項１に記載の展示台において、首部材が梁状に延設され、基礎台内に一又は複数の免震機構が内蔵されていることを特徴とする。
【００１３】
この手段では、首部材が梁状に延設され免震機構が一又は複数個内蔵されるために免震機構の数が軽減される。
【００１４】
【発明の実施の形態】
以下、本発明に係る展示台の実施の形態の一例を図１，図２に基づいて説明する。
【００１５】
この実施の形態では、前述の従来例の主要部である基礎台１，敷板２の構成をそのまま利用している。
【００１６】
基礎台１は、前面１１，後面１２，側面１３，１４，上面１５の下部開放形の箱形に形成されてなるもので、前面１１が前下方へ傾斜突出している。前面１１には、展示品Ｇの内容を説明，表示する表示プレート６が取付けられるようになっている。
【００１７】
基礎台１の内部には、展示品Ｇへの振動の伝達を減衰する免震機構３が内蔵されている。
【００１８】
免震機構３は、上部プレート３１，中間プレート３２，下部プレート３３，垂直免震部３４，水平免震部３５の各部による積層タイプからなる。上部プレート３１，中間プレート３２の間に介装された垂直免震部３４は、主に垂直方向の振動を減衰するものである。中間プレート３２，下部プレート３３の間に介装された水平免震部３５は、主に水平方向の振動を減衰するものである。
【００１９】
免震機構３の上部プレート３１には、敷板２を支える首部材４が固定されている。
【００２０】
首部材４は、全体視略円筒状を呈し、円筒形の柱部４１の上下にフランジ４２，４３を形成してなるもので、免震機構３の上部プレート３１の上面と敷板２の下面とにフランジ４２，４３が広い面積で確実に当接してボルトにより固定されるようになっている。首部材１の中心線Ａは、免震機構３の免震動作域ａの中心線Ｂよりも前方側へ偏心している。即ち、前述の展示ケースＣに設置された際に、破損しやすいガラス戸Ｃａ側への展示品Ｇの免震移動量を少なくしている。また、首部材４の背高は、敷板２を基礎台１の上面から少しの間隔ｂを介して高く立上げるように設定されている。
【００２１】
首部材４の周囲の基礎台１の上面１５には、免震機構３の免震動作による首部材４の移動を許容する開口部５が設けられている。
【００２２】
開口部５の大きさｃは、敷板２の大きさｄで覆われる範囲内に設定されている。なお、大きなフランジ４２，４３を小さな柱部４１で連結している首部材４の形状は、開口部５の小型化に寄与する。
【００２３】
この実施の形態によると、免震機構３が基礎台１の前面１１，後面１２，側面１３，１４，上面１５で覆われ、首部材４，開口部５が敷板２で覆われるため、視覚的には基礎台１，敷板２のみしか確認されなくなる。従って、基礎台１，敷板２のみからなる簡素な外観が維持される。
【００２４】
また、地震等による垂直方向への免震動作域は、基礎台１の上面１５と敷板２との間隔ｂで確保されている。また、水平方向への免震動作域は、開口部５によって確保されている。従って、展示品Ｇに伝達される振動は、確実に減衰されることになる。
【００２５】
以上、図示した実施の形態の外に、敷板２の周縁に布材等の幕材を垂設することも可能である。この実施の形態によると、地震等による垂直方向への免震動作域を広く確保するために、基礎台１の上面１５と敷板２との間隔ｂを長くしても、幕材で首部材４，開口部５隠蔽することができる。
【００２６】
また、この発明の実施の形態によると、首部材４を円筒形状としたが、これに限らず首部材４を角柱状とすることもできる。また、首部材４の形状は上記機能を満たす範囲内で適宜変更可能である。
【００２７】
以下、この発明の実施の形態の他例を図３に基づいて説明する。本実施の形態の断面は、実施の形態の一例に示した断面と同一である。なお、以下の説明において、実施の形態の一例と重複する構成には同一符号を付し、その説明は省略する。図３に示されているように、首部材４が全体視略長方形状を呈する梁４４に形成されている。この梁４４の両端側にそれぞれ免震機構３が設けられ、免震機構３の上部プレート３１の上面と敷板２の下面とにフランジ４２，４３が広い面積で確実に当接してボルトにより固定される。梁４４の両端側に免震機構３を２台設けた状態で、垂直方向乃至水平方向の振動を免震する。
【００２８】
また、この発明の実施の形態によると、首部材４を梁４４とし、免震機構３を２台設けた構成としたがこれに限らず、例えば複数台の免震機構３を設ける構成とすることもできる。また、免震機構３が一台であってもよく、上記機能を満たす範囲内で適宜変更可能である。
【００２９】
また、上記いずれの発明の実施の形態において、垂直免震部３４と水平免震部３５と備える３次元タイプの免震機構３の構成としたが、図示はしないが、上記免震機構３が水平免震部３５だけからなる２次元タイプの免震機構３としてもよい。
【００３０】
また、上記いずれの発明の実施の形態において、首部材４の周りに首部材４の移動を許容する開口部５を設ける構成としたが、図示はしないが敷板２と首部材４との間に座面を設ける構成とすることもできる。
【００３１】
【実施例】
前述の図示した実施の形態では、敷板の大きさｄを４８０ｍｍとし、首部材４のフランジ４２，４３の直径を１２０ｍｍとした場合、基礎台１の上面１５と敷板２との間隔ｂを１０ｍｍ程度とすると首部材４が視認されなくなる。
【００３２】
【発明の効果】
以上のように、本発明に係る展示台は、免震機構が基礎台に内蔵され、免震機構，敷板を連結する首部材や免震機構の免震動作による首部材の移動を許容する開口部が敷板で覆われていることから、基礎台，敷板からなる簡素な外観が維持されるため、簡素な外観を崩すことなく免震機構をそなえることができる効果がある。
【図面の簡単な説明】
【図１】  本発明に係る展示台の実施の形態の一例を示す断面図である。
【図２】  図１の正面図である。
【図３】  本発明に係る展示台の実施の形態の他例を示す正面図である。
【図４】  従来例を示す斜視図である。
【図５】  他の従来例を示す斜視図である。
【符号の説明】
１            基礎台
２            敷板
３            免震機構
４            首部材
５            開口部
Ｃ            展示ケース
Ｇ            展示品
【図１】
0004191813.tif 000002
【図２】
0004191813.tif 000003
【図３】
0004191813.tif 000004
【図４】
0004191813.tif 000005
【図５】
0004191813.tif 000006